(57)【要約】【課題】位置情報を取得でき、当該位置情報を外部に送信できる携帯端末において、電源オンの状態の携帯端末を保持しているユーザの位置情報が、常に登録している情報処理装置に通知されるので、当該ユーザのプライバシーが担保できない、とう課題があった。【解決手段】携帯端末とサーバ装置と情報処理装置を具備する情報処理システムであって、携帯端末が特定の領域に存在する場合または特定の領域からはずれた場合に、サーバ装置経由で情報処理装置に送信された位置情報であり、携帯端末の位置を示す位置情報が、情報処理装置に出力される情報処理システムにより、ユーザのプライバシーを保護しつつ、安全も担保できる。【選択図】  図２
2004201218.tif 000002
【特許請求の範囲】
【請求項１】
携帯端末とサーバ装置と情報処理装置を具備する情報処理システムであって、
前記携帯端末が特定の領域に存在する場合または特定の領域に存在しない場合に、前記サーバ装置経由で前記情報処理装置に送信された位置情報であり、前記携帯端末の位置を示す位置情報が、前記情報処理装置に出力される情報処理システム。
【請求項２】
携帯端末とサーバ装置と情報処理装置を具備する情報処理システムであって、
前記携帯端末は、
当該携帯端末を識別する情報である携帯端末識別子を格納している携帯端末識別子格納部と、
当該携帯端末の位置情報を取得する位置情報取得部と、
前記位置情報取得部が取得した位置情報と前記携帯端末識別子を有する位置確認情報を前記サーバ装置に送信する位置確認情報送信部と、
前記サーバ装置は、
前記情報処理装置を識別する情報である情報処理装置識別子と携帯端末識別子の対である装置管理情報を1以上格納している装置管理情報格納部と、
位置情報の送信条件を示す情報である送信条件情報と携帯端末識別子を対に格納している送信条件情報格納部と、
前記携帯端末から位置確認情報を受信する位置確認情報受信部と、
前記位置確認情報が有する位置情報が、前記位置確認情報が有する携帯端末識別子と対になる送信条件情報が示す送信条件を満たすか否かを判断する送信条件判断部と、
前記位置確認情報が有する携帯端末識別子と対になる情報処理装置識別子を前記装置管理情報格納部から取得する情報処理装置識別子取得部と、
前記送信条件判断部における判断が送信条件を満たすとの判断の場合に、前記情報処理装置識別子取得部が取得した情報処理装置識別子で識別される情報処理装置に、前記位置確認情報が有する位置情報を送信する位置情報送信部と、
前記情報処理装置は、
前記サーバ装置から位置情報を受信する位置情報受信部と、
前記位置情報受信部が受信した位置情報を出力する位置情報出力部
を具備する情報処理システム。
【請求項３】
携帯端末とサーバ装置と情報処理装置を具備する情報処理システムであって、
前記携帯端末は、
当該携帯端末を識別する情報である携帯端末識別子を格納している携帯端末識別子格納部と、
当該携帯端末の位置情報を取得する位置情報取得部と、
位置情報の送信条件を示す情報である送信条件情報を格納している送信条件情報格納部と、
前記位置情報取得部が取得した位置情報が、前記送信条件情報が示す送信条件を満たすか否かを判断する送信条件判断部と、
前記送信条件判断部における判断が送信条件を満たすとの判断の場合に、前記位置情報取得部が取得した位置情報と前記携帯端末識別子を有する位置確認情報を前記サーバ装置に送信する位置確認情報送信部と、
前記サーバ装置は、
前記情報処理装置を識別する情報である情報処理装置識別子と携帯端末識別子の対である装置管理情報を1以上格納している装置管理情報格納部と、
前記携帯端末から位置確認情報を受信する位置確認情報受信部と、
前記位置確認情報が有する携帯端末識別子と対になる情報処理装置識別子を前記装置管理情報格納部から取得する情報処理装置識別子取得部と、
前記情報処理装置識別子取得部が取得した情報処理装置識別子で識別される情報処理装置に、前記位置確認情報受信部が受信した位置確認情報が有する位置情報を送信する位置情報送信部と、
前記情報処理装置は、
前記サーバ装置から位置情報を受信する位置情報受信部と、
前記位置情報受信部が受信した位置情報を出力する位置情報出力部
を具備する情報処理システム。
【請求項４】
前記送信条件情報は、前記携帯端末が特定の領域に存在することを示す情報である請求項２または請求項３いずれか記載の情報処理システム。
【請求項５】
前記送信条件情報は、前記携帯端末が特定の領域に存在しないことを示す情報である請求項２または請求項３いずれか記載の情報処理システム。
【請求項６】
前記情報処理装置は、前記携帯端末の位置情報を、少なくとも一定時間ごとに受信し、出力する請求項１から請求項５いずれか記載の情報処理システム。
【請求項７】
前記携帯端末は、
当該携帯端末の付近に存在するノードから位置の名称を示す情報である位置名称情報を受信する位置名称情報受信部をさらに具備し、
前記位置情報は、前記位置名称情報を含む請求項１から請求項６いずれか記載の情報処理システム。
【請求項８】
前記サーバ装置は、
駅を識別する情報である駅識別子と位置情報を対応付けて管理しており、
前記位置情報送信部は、送信する位置情報に対応する駅識別子を送信する請求項２または請求項３いずれか記載の情報処理システム。
【請求項９】
前記サーバ装置は、
地図情報と位置情報を対応付けて管理しており、
前記位置情報送信部は、送信する位置情報に対応する地図情報をも送信する請求項２または請求項３いずれか記載の情報処理システム。
【請求項１０】
前記情報処理装置は、
位置情報の取得指示の入力を受け付ける装置側入力受付部と、
前記取得指示と前記情報処理装置識別子を前記サーバ装置に送信する取得指示情報送信部と、
前記取得指示の送信に対応して前記位置情報受信部は、前記サーバ装置から位置情報を受信し、
前記サーバ装置は、
前記取得指示と前記情報処理装置識別子を受信する取得指示情報受信部と、
前記位置情報送信部は、前記送信条件判断部における判断結果に関わらず、前記情報処理装置識別子に対応する携帯端末識別子の位置情報を前記情報処理装置識別子で識別される情報処理装置に送信する請求項２記載の情報処理システム。
【請求項１１】
前記携帯端末は、
特定の操作を行った場合に、当該操作を行った位置を示す位置情報を有する送信条件構成情報を前記サーバ装置に送信し、
前記サーバ装置は、
前記送信条件構成情報を受信し、当該送信条件構成情報に基づいて送信条件情報を構成し、前記送信条件情報格納部に蓄積する請求項２記載の情報処理システム。
【請求項１２】
前記携帯端末は、
特定の操作を行った場合に、当該操作を行った位置を示す位置情報をパラメータとする送信条件情報を構成し、前記送信条件情報格納部に蓄積する請求項3記載の情報処理システム。
【請求項１３】
前記携帯端末は、取得した位置情報を蓄積する請求項１から請求項１２いずれか記載の情報処理システム。
【請求項１４】
前記携帯端末は、前記サーバ装置に送信しない位置情報のみを蓄積する請求項３から請求項１２いずれか記載の情報処理システム。
【請求項１５】
携帯端末とサーバ装置と情報処理装置を具備する情報処理システムであって、
前記携帯端末は、
加速度を計測する加速度計測部と、
位置情報を取得する位置情報取得部を具備し、
前記携帯端末が一定の条件に合致する加速度を測定した場合に、前記サーバ装置経由で前記情報処理装置に送信された位置情報であり、前記携帯端末の位置を示す位置情報が、前記情報処理装置に出力される情報処理システム。
【請求項１６】
前記携帯端末が一定の条件に合致する加速度を測定した場合に、当該加速度を測定した後において継続的に、前記サーバ装置経由で前記情報処理装置に送信された位置情報であり、前記携帯端末の位置を示す位置情報が、前記情報処理装置に出力される請求項１５記載の情報処理システム。
【請求項１７】
請求項１から請求項１６いずれか記載の情報処理システムを構成する携帯端末。
【請求項１８】
請求項１から請求項１６いずれか記載の情報処理システムを構成するサーバ装置。
【請求項１９】
請求項１から請求項１６いずれか記載の情報処理システムを構成する情報処理装置。
【請求項２０】
位置情報を取得する位置情報取得部と、
加速度を計測する加速度計測部と、
前記位置情報と前記加速度を蓄積する情報蓄積部を具備する携帯端末。
【発明の詳細な説明】
【０００１】
【発明の属する技術分野】
本発明は、位置情報を取得し送信する携帯端末や当該携帯端末を保持しているユーザの安全を担保する情報処理システム等に関する。
【０００２】
【従来の技術】
従来、携帯端末を保持しているユーザの安全を担保する情報処理システムとしてココセコムというセコム株式会社（商標登録出願中）のサービスが存在する（非特許文献１参照）。本サービスは、ＧＰＳ受信機付きの携帯端末を保持しているユーザの位置を登録している情報処理装置に通知し、ユーザの探索が可能になり、かつユーザの安全を確保するサービスである。
【０００３】
【非特許文献１】
セコム株式会社ホームページ、インターネット＜http://www.855756.com/info/m_man_top.html＞
【０００４】
【発明が解決しようとする課題】
しかし、上記従来技術によれば、電源オンの状態の携帯端末を保持しているユーザの位置情報が、常に登録している情報処理装置に通知されるので、当該ユーザのプライバシーが担保できない。また、常時、位置情報を送信しているので、通信コストが膨大となる。
【０００５】
【課題を解決するための手段】
そこで、第一の発明は、携帯端末とサーバ装置と情報処理装置を具備する情報処理システムであって、携帯端末が特定の領域に存在する場合または特定の領域からはずれた場合に、サーバ装置経由で情報処理装置に送信された位置情報であり、携帯端末の位置を示す位置情報が、情報処理装置に出力される情報処理システムにより、ユーザのプライバシーを保護しつつ、安全も担保できる。
【０００６】
また、第二の発明は、情報処理装置は、携帯端末の位置情報を、少なくとも一定時間ごとに受信し、出力することにより、携帯端末がユーザから離れた状態で、例えば、当該ユーザが誘拐された場合でも、携帯端末の位置が変化しないことが分かり、ユーザの身に危険が及んだ可能性があることを察知等できる。
【０００７】
また、第三の発明は、携帯端末は、当該携帯端末の付近に存在するノードから位置の名称を示す情報である位置名称情報を受信する位置名称情報受信部をさらに具備し、位置情報は、位置名称情報を含む情報処理システムにより、ユーザの位置が分かりやすい態様で出力できる。
【０００８】
また、第四の発明は、サーバ装置は、駅を識別する情報である駅識別子と位置情報を対応付けて管理しており、位置情報送信部は、送信する位置情報に対応する駅識別子を送信することにより、ユーザの位置が分かりやすい態様で出力できる。
【０００９】
また、第五の発明は、サーバ装置は、地図情報と位置情報を対応付けて管理しており、位置情報送信部は、送信する位置情報に対応する地図情報をも送信することにより、ユーザの位置がさらに分かりやすい態様で出力できる。
【００１０】
また、第六の発明は、情報処理装置は、位置情報の取得指示の入力を受け付ける装置側入力受付部と、取得指示と情報処理装置識別子をサーバ装置に送信する取得指示情報送信部と、取得指示の送信に対応して位置情報受信部は、サーバ装置から位置情報を受信し、サーバ装置は、取得指示と情報処理装置識別子を受信する取得指示情報受信部と、位置情報送信部は、送信条件判断部における判断結果に関わらず、情報処理装置識別子に対応する携帯端末識別子の位置情報を情報処理装置識別子で識別される情報処理装置に送信することにより、情報処理装置側のユーザが、何らかの情報等により、携帯端末のユーザが危険な状態であることを察知した場合など、どうしても携帯端末のユーザの位置を知りたい場合に、強制的に位置情報を取得できる。
【００１１】
また、第七の発明は、携帯端末は、特定の操作を行った場合に、当該操作を行った位置を示す位置情報を有する送信条件構成情報をサーバ装置に送信し、サーバ装置は、送信条件構成情報を受信し、当該送信条件構成情報に基づいて送信条件情報を構成し、送信条件情報格納部に蓄積すること等により、簡易な操作で位置情報を送信する条件を設定できる。
【００１２】
また、第八の発明は、携帯端末は、取得した位置情報を蓄積する機能をさらに有すること、または携帯端末は、サーバ装置に送信しない位置情報のみを蓄積する機能をさらに有することにより、携帯端末のユーザに事件が発生した場合など、事件後に、事件の解明が容易になる。
【００１３】
また、第九の発明は、携帯端末とサーバ装置と情報処理装置を具備する情報処理システムであって、携帯端末は、加速度を計測する加速度計測部と、位置情報を取得する位置情報取得部を具備し、携帯端末が一定の条件に合致する加速度を測定した場合に、サーバ装置経由で情報処理装置に送信された位置情報であり、携帯端末の位置を示す位置情報が、情報処理装置に出力される情報処理システムにより、携帯端末のユーザが押し倒されるなどの被害を被ったことをトリガーとして、位置情報が情報処理装置に出力でき、携帯端末のユーザの身の安全がより担保され得る。
【００１４】
また、第十の発明は、携帯端末が一定の条件に合致する加速度を測定した場合に、当該加速度を測定した後において継続的に、サーバ装置経由で情報処理装置に送信された位置情報であり、携帯端末の位置を示す位置情報が、情報処理装置に出力されることにより、携帯端末のユーザが押し倒されるなどの被害を被った後の位置情報が追跡でき、携帯端末のユーザの身の安全がより担保され得る。
【００１５】
【発明の実施の形態】
以下、情報処理システム等の実施形態について図面を参照して説明する。なお、実施の形態において同じ符号を付した構成要素は同様の動作を行うので、再度の説明を省略する場合がある。
【００１６】
（実施の形態１）
図１は、本実施の形態における情報処理システムの概念図である。情報処理システムは、携帯端末１１、サーバ装置１２、情報処理装置１３を有する。携帯端末１１は、ユーザが持ち運ぶ端末であり、位置情報を取得できる。サーバ装置１２は、携帯端末１１から位置情報を受信し、情報処理装置１３に送信する。情報処理装置１３は、位置情報を受信し、出力する。
【００１７】
図２は、本実施の形態における情報処理システムのブロック図である。携帯端末１１は、携帯端末識別子格納部１１０１、位置情報取得部１１０２、位置確認情報送信部１１０３、端末側入力受付部１１０４、送信条件構成情報送信部１１０５を具備する。サーバ装置１２は、装置管理情報格納部１２０１、送信条件情報格納部１２０２、位置確認情報受信部１２０３、送信条件判断部１２０４、情報処理装置識別子取得部１２０５、取得指示情報受信部１２０６、時計１２０７、位置情報送信部１２０８、送信条件構成情報受信部１２０９、送信条件情報蓄積部１２１０を具備する。情報処理装置１３は、装置側入力受付部１３０１、取得指示情報送信部１３０２、位置情報受信部１３０３、位置情報出力部１３０４を具備する。
【００１８】
携帯端末識別子格納部１１０１は、携帯端末１１を識別する情報である携帯端末識別子を格納している。携帯端末識別子は、例えば、携帯端末が携帯電話である場合の当該携帯電話の電話番号である。その他、携帯端末識別子はIPアドレスでも、独自に付された情報でも良く、携帯端末１１を識別する情報であれば何でも良い。携帯端末識別子格納部１１０１は、不揮発性の記録媒体が好適であるが、揮発性の記録媒体でも実現可能である。
【００１９】
位置情報取得部１１０２は、携帯端末１１が存在する位置情報を取得する。位置情報取得部１１０２は、例えば、ＧＰＳ受信機である。かかる場合、位置情報とは、通常、緯度、経度、高さによる構成される値（ｘ，ｙ，ｈ）である。また、位置情報取得部１１０２は、他の手段で実現されても良い。位置情報取得部１１０２は、例えば、近距離無線通信手段で実現され、かかる近距離無線通信手段により、近くに埋め込まれたＦＲタグから位置に関する情報を取得するものでも良い。また、位置情報取得部１１０２は、携帯電話の３以上の中継局から受信する電波の強さから位置を特定しても良い。位置情報取得部１１０２の位置情報の取得方法は問わない。
【００２０】
位置確認情報送信部１１０３は、位置情報取得部１１０２が取得した位置情報と携帯端末識別子格納部１１０１の携帯端末識別子を有する位置確認情報をサーバ装置１２に送信する。位置確認情報のデータ構造は問わない。位置確認情報送信部１１０３は、例えば、位置確認情報を構成するソフトウェアと無線通信手段により実現される。但し、位置確認情報送信部１１０３は、位置確認情報をサーバ装置１２に送信できれば、その実現手段は問わない。
【００２１】
端末側入力受付部１１０４は、予め決められた特定の操作の入力を受け付ける。特定の操作は、位置情報の登録をするための操作である。操作とは、例えば、予め決められたボタンを押下する操作である。この操作は、２以上の操作の集合（２以上のボタンの押下のシーケンスなど）であっても良い。端末側入力受付部１１０４は、携帯端末１１のキーのドライバーソフト等で実現され得る。また、特定の操作がメニュー画面の操作である場合は、端末側入力受付部１１０４は、メニュー画面の制御ソフトウェア等から実現され得る。
【００２２】
送信条件構成情報送信部１１０５は、端末側入力受付部１１０４で予め決められた特定の操作を受け付けた場合に、当該操作を行った位置を示す位置情報を有する送信条件構成情報を構成し、サーバ装置１２に送信する。サーバ装置１２に情報を送信するための情報であるサーバ装置１２のＩＰアドレス等は、予め保持している。送信条件構成情報は、位置情報を送信する条件を構成するための情報である。送信条件構成情報のデータ構造は問わない。送信条件構成情報送信部１１０５は、通常、無線通信手段により実現される。但し、送信条件構成情報送信部１１０５は放送手段により実現されても良い。送信条件構成情報送信部１１０５と位置確認情報送信部１１０３の情報通信機能は、通常、一の物理的な通信手段により実現される。
【００２３】
装置管理情報格納部１２０１は、情報処理装置１３を識別する情報である情報処理装置識別子と携帯端末識別子の対である装置管理情報を１以上格納している。装置管理情報格納部１２０１は、不揮発性の記録媒体が好適であるが、揮発性の記録媒体でも実現可能である。
【００２４】
送信条件情報格納部１２０２は、携帯端末１１が存在する位置を示す情報である位置情報の送信条件を示す情報である送信条件情報と携帯端末識別子を対に格納している。送信条件情報のデータ構造は問わない。送信条件情報格納部１２０２は、不揮発性の記録媒体が好適であるが、揮発性の記録媒体でも実現可能である。
【００２５】
位置確認情報受信部１２０３は、携帯端末１１から位置確認情報を受信する。位置確認情報受信部１２０３は、通常、無線通信手段で実現され得るが、放送を受信する手段等で実現されても良い。
【００２６】
送信条件判断部１２０４は、位置確認情報受信部１２０３が受信した位置確認情報が有する位置情報が、送信条件情報格納部１２０２の送信条件情報が示す送信条件を満たすか否かを判断する。送信条件判断部１２０４は、通常、ＭＰＵやメモリ等から実現され得る。送信条件判断部１２０４の判断処理の手順は、通常、ソフトウェアで実現され、当該ソフトウェアはＲＯＭ等の記録媒体に記録されている。但し、ハードウェア（専用回路）で実現しても良い。
【００２７】
情報処理装置識別子取得部１２０５は、位置確認情報受信部１２０３が受信した位置確認情報が有する携帯端末識別子と対になる情報処理装置識別子を装置管理情報格納部１２０１から取得する。情報処理装置識別子取得部１２０５は、通常、ＭＰＵやメモリ等から実現され得る。情報処理装置識別子取得部１２０５が情報を取得する処理手順は、通常、ソフトウェアで実現され、当該ソフトウェアはＲＯＭ等の記録媒体に記録されている。但し、ハードウェア（専用回路）で実現しても良い。
【００２８】
取得指示情報受信部１２０６は、取得指示と情報処理装置識別子を受信する。取得指示情報受信部１２０６は、無線通信手段で実現され得るが、放送を受信する手段等で実現されても良い。
【００２９】
時計１２０７は、時刻を取得する。時計１２０７の変わりにタイマーでも良い場合もあり得る。
【００３０】
位置情報送信部１２０８は、送信条件判断部１２０４における判断が送信条件を満たすとの判断の場合に、情報処理装置識別子取得部１２０５が取得した情報処理装置識別子で識別される情報処理装置に、位置確認情報受信部１２０３が受信した位置確認情報が有する位置情報を送信する。また、位置情報送信部１２０８は、送信条件判断部１２０４における判断結果に関わらず、取得指示情報受信部１２０６が取得指示と情報処理装置識別子を受信した場合に、当該情報処理装置識別子に対応する携帯端末識別子の位置情報を前記情報処理装置識別子で識別される情報処理装置に送信する。また、位置情報送信部１２０８は、時計１２０７の時刻を見て、定期的に位置情報を情報処理装置に送信する、または、位置情報送信部１２０８は、時計１２０７の時刻を見て、一定時間以上、位置情報が送信されていなければ位置情報を情報処理装置に送信する。位置情報送信部１２０８は、無線または有線の通信手段で実現され得るが、放送手段で実現しても良い。
【００３１】
送信条件構成情報受信部１２０９は、携帯端末１１から送信条件構成情報を受信する。送信条件構成情報受信部１２０９は、通常、無線通信手段で実現され得るが、放送を受信する手段で実現されても良い。
【００３２】
送信条件情報蓄積部１２１０は、送信条件構成情報受信部１２０９が受信した送信条件構成情報から送信条件情報を構成し、当該送信条件情報を送信条件情報格納部１２０２に蓄積する。送信条件情報蓄積部１２１０は、通常、ＭＰＵやメモリ等から実現され得る。送信条件情報蓄積部１２１０が情報を蓄積する処理手順は、通常、ソフトウェアで実現され、当該ソフトウェアはＲＯＭ等の記録媒体に記録されている。但し、ハードウェア（専用回路）で実現しても良い。
【００３３】
装置側入力受付部１３０１は、位置情報の取得指示の入力を受け付ける。位置情報の取得指示とは、携帯端末１１の位置情報を、条件に合致するか否かに関わらず取得する要求を行う指示である。位置情報の取得指示の入力手段は、キーボード、マウス、リモコン、メニュー画面等、問わない。装置側入力受付部１３０１は、例えば、キーボード等の入力手段のドライバーソフトから実現され得る。
【００３４】
取得指示情報送信部１３０２は、装置側入力受付部１３０１が受け付けた位置情報の取得指示と情報処理装置識別子をサーバ装置１２に送信する。なお、情報処理装置識別子は、情報処理装置１３を識別する情報であり、そのデータ構造や内容は問わない。情報処理装置識別子は、例えば、情報処理装置１３の電話番号やＩＰアドレスやＭＡＣアドレス等である。情報処理装置識別子は、通常、予め情報処理装置１３が保持している。取得指示情報送信部１３０２は、通常、無線または有線の通信手段で実現され得るが、放送手段で実現しても良い。
【００３５】
位置情報受信部１３０３は、サーバ装置１２から位置情報を受信する。位置情報受信部１３０３は、通常、無線または有線の通信手段で実現され得るが、放送を受信する手段で実現しても良い。
【００３６】
位置情報出力部１３０４は、位置情報受信部１３０３が受信した位置情報を出力する。この出力とは、通常は、ディスプレイへの表示を言うが、プリンタへの印字、他の装置への送信、記録媒体への蓄積なども含む概念である。位置情報出力部１３０４における位置情報の出力態様は問わない。また、受信した位置情報と出力する位置情報は同じ情報であるとは限らない。具体的には、位置情報出力部１３０４は、地図とともに携帯端末１１の位置を出力しても良い。かかる場合、地図情報は、予め情報処理装置１３が保持していても良いし、サーバ装置１２から送信される等しても良い。また、位置情報出力部１３０４は、位置情報が示す駅名を出力しても良い。位置情報から駅名（最寄駅の名称）を取得するためのデータは、予め情報処理装置１３が保持していても良いし、サーバ装置１２から送信される等しても良い。
【００３７】
以下、本情報処理システムの動作について説明する。まず、携帯端末１１の動作について図３のフローチャートを用いて説明する。
【００３８】
（ステップＳ３０１）位置情報取得部１１０２は、携帯端末１１の存在する位置を示す情報である位置情報を取得する。
【００３９】
（ステップＳ３０２）端末側入力受付部１１０４は、入力を受け付けたか否かを判断する。この入力は、一のキー等の入力であるとは限らず、複数のキー等の入力である場合も含む。入力を受け付ければステップＳ３０３に行き、入力を受け付けなければステップＳ３０７に飛ぶ。
【００４０】
（ステップＳ３０３）送信条件構成情報送信部１１０５は、ステップＳ３０２で受け付けた入力が、予め決められた特定の入力であるか否かを判断する。特定の入力であればステップＳ３０４に行き、特定の入力でなければステップＳ３０１に戻る。
【００４１】
（ステップＳ３０４）送信条件構成情報送信部１１０５は、携帯端末識別子格納部１１０１から携帯端末識別子を取得する。
【００４２】
（ステップＳ３０５）送信条件構成情報送信部１１０５は、ステップＳ３０１で取得した位置情報とステップＳ３０４で取得した携帯端末識別子に基づいて送信条件構成情報を構成する。
【００４３】
（ステップＳ３０６）送信条件構成情報送信部１１０５は、ステップＳ３０５で構成した送信条件構成情報を送信する。ステップＳ３０１に戻る。
【００４４】
（ステップＳ３０７）位置確認情報送信部１１０３は、携帯端末識別子格納部１１０１から携帯端末識別子を取得する。
【００４５】
（ステップＳ３０８）位置確認情報送信部１１０３は、ステップＳ３０１で取得した位置情報とステップＳ３０７で取得した携帯端末識別子に基づいて位置確認情報を構成する。
【００４６】
（ステップＳ３０９）位置確認情報送信部１１０３は、ステップＳ３０８で構成した位置確認情報を送信する。ステップＳ３０１に戻る。
【００４７】
なお、図３のフローチャートにおいて、電源オフや処理終了の指示などの割り込みにより、処理は終了する。
【００４８】
次に、サーバ装置１２の動作について図４のフローチャートを用いて説明する。
【００４９】
（ステップＳ４０１）位置確認情報受信部１２０３は、携帯端末１１から位置確認情報を受信したか否かを判断する。位置確認情報を受信すればステップＳ４０２に行き、位置確認情報を受信しなければステップＳ４１１に飛ぶ。
【００５０】
（ステップＳ４０２）送信条件判断部１２０４は、送信条件情報格納部１２０２の送信条件情報と、ステップＳ４０１で受信した位置確認情報が有する位置情報に基づいて、当該位置情報が、送信条件情報が示す送信条件を満たすか否かを判断する。送信条件を満たせばステップＳ４０３に行き、送信条件を満たさなければステップＳ４０８に飛ぶ。なお、送信条件判断部１２０４は、ステップＳ４０１で受信した位置確認情報が有する一の位置情報に基づいて条件の合致／不合致を判断しても良いし、受信した位置情報の履歴から条件の合致／不合致を判断しても良い。一の位置情報に基づいて条件の合致／不合致を判断する方法は、一の位置情報が示す位置が、予め登録されている位置（場所）付近であるか否かを判断し、予め登録されている位置付近（領域内）であれば条件に合致する、と判断する。なお、送信条件判断部１２０４は、予め登録されている位置付近（領域内）であれば条件に合致しない、と判断しても良い。
【００５１】
（ステップＳ４０３）情報処理装置識別子取得部１２０５は、ステップＳ４０１で受信した位置確認情報が有する携帯端末識別子を取得する。
【００５２】
（ステップＳ４０４）情報処理装置識別子取得部１２０５は、ステップＳ４０３で取得した携帯端末識別子と対になる情報処理装置識別子を装置管理情報格納部１２０１から取得する。
【００５３】
（ステップＳ４０５）位置情報送信部１２０８は、ステップＳ４０１で受信した位置確認情報が有する位置情報を取得する。
【００５４】
（ステップＳ４０６）位置情報送信部１２０８は、ステップＳ４０４で情報処理装置識別子取得部１２０５が取得した情報処理装置識別子で識別される情報処理装置に、ステップＳ４０５で取得した位置情報を送信する。
【００５５】
（ステップＳ４０７）位置情報送信部１２０８は、ステップＳ４０６で位置情報を送信した時刻を時計１２０７から取得し、蓄積する。ステップＳ４０１に戻る。
【００５６】
（ステップＳ４０８）取得指示情報受信部１２０６は、情報処理装置１３から取得指示情報を受信したか否かを判断する。取得指示情報を受信すればステップＳ４０３に戻り、取得指示情報を受信しなければステップＳ４０９に行く。
【００５７】
（ステップＳ４０９）位置情報送信部１２０８は、時計１２０７から現在時刻を取得する。
【００５８】
（ステップＳ４１０）位置情報送信部１２０８は、ステップＳ４０７で蓄積した時刻と、ステップＳ４０９で取得した時刻を比較して、位置情報を送信してから一定時間以上経過しているか否かを判断する。一定時間以上経過していればステップＳ４０３に行き、一定時間以上経過していなければステップＳ４０１に戻る。
【００５９】
（ステップＳ４１１）送信条件構成情報受信部１２０９は、送信条件構成情報を受信したか否かを判断する。送信条件構成情報を受信すればステップＳ４１２に行き、送信条件構成情報を受信しなければステップＳ４０１に戻る。
【００６０】
（ステップＳ４１２）送信条件情報蓄積部１２１０は、ステップＳ４１１で受信した送信条件構成情報に基づいて送信条件情報を構成する。
【００６１】
（ステップＳ４１３）送信条件情報蓄積部１２１０は、ステップＳ４１２で構成した送信条件情報を送信条件情報格納部１２０２に蓄積する。ステップＳ４０１に戻る。
【００６２】
なお、図４のフローチャートにおいて、電源オフや処理終了の指示などの割り込みにより、処理は終了する。また、図４のフローチャートにおいて、少なくとも定期的にサーバ装置１２から情報処理装置１３に携帯端末１１の位置情報を送信しても良い。
【００６３】
次に、情報処理装置１３の動作について図５のフローチャートを用いて説明する。
【００６４】
（ステップＳ５０１）装置側入力受付部１３０１は、位置情報の取得指示の入力を受け付けたか否かを判断する。位置情報の取得指示の入力を受け付ければステップＳ５０２に行き、位置情報の取得指示の入力を受け付けなければステップＳ５０４に飛ぶ。
【００６５】
（ステップＳ５０２）取得指示情報送信部１３０２は、装置側入力受付部１３０１が受け付けた位置情報の取得指示と情報処理装置識別子に基づいて取得指示情報を構成する。
【００６６】
（ステップＳ５０３）取得指示情報送信部１３０２は、ステップＳ５０２で構成した取得指示情報をサーバ装置１２に送信する。なお、サーバ装置１２に情報を送信するための情報（例えば、サーバ装置１２のＩＰアドレス）は、予め情報処理装置１３が保持している。ステップＳ５０１に戻る。
【００６７】
（ステップＳ５０４）位置情報受信部１３０３は、サーバ装置１２から位置情報を受信したか否かを判断する。位置情報を受信すればステップＳ５０５に行き、位置情報を受信しなければステップＳ５０１に戻る。
【００６８】
（ステップＳ５０５）位置情報出力部１３０４は、ステップＳ５０４で受信した位置情報を出力する。ステップＳ５０１に戻る。
【００６９】
なお、図５のフローチャートにおいて、電源オフや処理終了の指示などの割り込みにより、処理は終了する。
【００７０】
以下、本実施の形態における情報処理システム等の具体的な動作について説明する。今、本情報処理システムの利用態様を示す図を図６に示す。情報処理システムは、携帯端末１１、サーバ装置１２、情報処理装置１３を有する。携帯端末１１は、例えば、女子学生（Ａ子さん）が保持する携帯電話機能付きの携帯端末である。この女子学生の家は、「Ａ駅」近くにあり、学校は「Ｃ駅」近くにある。そして、女子学生は、「Ａ駅」と「Ｃ駅」の間を往復する毎日である。そして、サーバ装置１２は、サービス業者が運用する装置であり、女子学生などの安全を確保するサービスを行っている。情報処理装置１３は、女子学生の家にある装置であり、例えば、女子学生の父親が女子学生の携帯端末１１の位置を情報処理装置１３で確認し、女子学生の安全をチェックする。なお、女子学生の携帯端末１１の電話番号（携帯端末識別子）は「０５０−１１１１−２２２２」である。また、携帯端末１１は、ＧＰＳ受信機により位置情報（ｘ，ｙ）を取得する。なお、通常、ＧＰＳ受信機は高度（ｈ）も取得するが、ここでは、説明の便宜上、高度（ｈ）は無視する。
【００７１】
今、サーバ装置１２は、図７に示す装置管理表を保持している。装置管理表は、「ＩＤ」「携帯端末識別子」「情報処理装置識別子」を有するレコード（装置管理情報）を1以上格納している。「ＩＤ」は、レコードを識別する情報であり、表管理上の要請で存在する。サーバ装置１２は、「携帯端末識別子」で識別される位置情報を、当該「携帯端末識別子」と対になる「情報処理装置識別子」で識別される情報処理装置に送信する。なお、「携帯端末識別子」と「情報処理装置識別子」は、1対１の対応関係であるが、1対他、他対１、他対他の対応関係でも良い。
【００７２】
また、サーバ装置１２は、図８に示す送信条件管理表を保持している。送信条件管理表は、「ＩＤ」「携帯端末識別子」「送信条件情報」を有するレコードを1以上格納している。「送信条件情報」は、「地点（ｘ，ｙ）」「範囲（半径）」「名称」「送信／非送信」の属性値を有する。「地点（ｘ，ｙ）」は、位置情報（ここでは、経度、緯度）を示す。「範囲（半径）」は、範囲を規定するための情報であり、地点（ｘ，ｙ）」からの半径を示す情報である。つまり、「地点（ｘ，ｙ）」は中心であり、「範囲（半径）」は半径を指定し、両者により、領域を規定する。「名称」は、「地点（ｘ，ｙ）」「範囲（半径）」で指定される領域の名称である。「送信／非送信」は、「地点（ｘ，ｙ）」「範囲（半径）」に携帯端末１１が存在する場合に、位置情報を送信するか否かを示す情報である。「送信／非送信」が「１」のときは、「地点（ｘ，ｙ）」「範囲（半径）」で示す領域に携帯端末１１が存在する場合に、サーバ装置１２は位置情報を情報処理装置１３に送信する。「送信／非送信」が「０」のときは、「地点（ｘ，ｙ）」「範囲（半径）」で示す領域に携帯端末１１が存在しない場合に、サーバ装置１２は位置情報を情報処理装置１３に送信する。
【００７３】
以上の状況において、女子学生は、携帯端末１１を保持して自宅を出てＡ駅に向かう。そして、携帯端末１１が送信する位置情報（ｘ，ｙ）が登録されている条件に合致する「（１３６，２５５）」から半径３００ｍ以内に入った場合に、サーバ装置１２は、当該位置情報を情報処理装置１３に送信する。そして、情報処理装置１３は、位置情報を受信し、出力する。図９は、情報処理装置１３における位置情報の出力例である。図９によれば、情報処理装置１３はデジタルテレビ機能を有する。そして、父親がテレビを視聴しているときに、女子学生（Ａ子さん）の携帯端末１１が条件に合致する位置に居る場合に、携帯端末１１の位置情報を受信し、表示する。かかる場合、ウィンドウを新たに生成し、例えば、番組視聴の邪魔にならないように左上隅に当該ウィンドウを表示する。ウィンドウの中には、女子学生（Ａ子さん）の携帯端末１１の所在が分かる形式で表示される。図９においては、地図情報の上に「ドット」で携帯端末１１の所在を表示する。なお、地図情報は、予め情報処理装置１３が保持していても良いし、サーバ装置１２が情報処理装置１３に送信しても良い。位置情報と地図情報の対応を取ったり、対応がとれた地図を表示したりする技術は、既存のナビゲーション技術であるので、詳細な説明は省略する。
【００７４】
次に、位置情報を送信する条件を登録する処理について説明する。今、携帯端末１１は、図１０に示すような外観を有する、とする。また、携帯端末１１が存在する環境を図１１に示す。図１１は、Ｂ駅の外観を示す。図１１によれば、Ａ子さんがＧＰＳ受信機付きの携帯端末１１を保持し、Ｂ駅であることを示す情報「Ｂ駅」を近距離無線通信手段で外部に送信する無線局１４がＢ駅に存在する。
【００７５】
次に、例えば、女子学生のＡ子さんがＢ駅で降りて、Ｂ駅のホームで、図１０の「位置情報登録ボタン」を押下する、とする。
【００７６】
次に、携帯端末１１は、位置情報（１３９，２５５）をＧＰＳ受信機により受信する。また、携帯端末１１は、無線局１４から情報「Ｂ駅」を受信する。さらに、携帯端末１１は、保持している携帯端末識別子「０５０−１１１１−２２２２」を取得する。そして、携帯端末１１は、図１１に示す送信条件構成情報Ａを構成する。次に、携帯端末１１は、送信条件構成情報Ａをサーバ装置１２に送信する。
【００７７】
次に、サーバ装置１２は、送信条件構成情報Ａを受信する。そして、サーバ装置１２は、携帯端末識別子「０５０−１１１１−２２２２」から送信される送信条件構成情報は、すべて「当該位置情報を中心として３００ｍの範囲に携帯端末が存在されば位置情報を送信する」という条件の上で、送信条件情報が構成されることを予め知っている、とする。そして、サーバ装置１２は、図１２に示す送信条件情報を構成する。そして、サーバ装置１２は、図１２に示す送信条件情報を送信条件情報格納部に蓄積する。その結果、図８の送信条件管理表は、図１３のように変更される。
【００７８】
以後、Ａ子さんの携帯端末１１は、「Ａ駅」「Ｂ駅」「Ｃ駅」のいずれの駅の周辺に存在した場合に、携帯端末１１の位置情報が家の情報処理装置１３に送信され、出力される。
【００７９】
また、Ａ子さんの携帯端末１１が一定時間以上「Ａ駅」「Ｂ駅」「Ｃ駅」のいずれの駅の周辺にも存在しない場合には、サーバ装置１２は、自動的にＡ子さんの携帯端末１１の位置情報を情報処理装置１３に送信する。情報処理装置１３は、位置情報を受信し出力する。
【００８０】
さらに、Ａ子さんの携帯端末１１は、「Ａ駅」「Ｂ駅」「Ｃ駅」のいずれの駅の周辺に存在した場合でも、例えば、父親が心配になって、サーバ装置１２にＡ子さんの携帯端末１１の位置を送信する指示をした場合には、サーバ装置１２は、Ａ子さんの携帯端末１１の位置情報を情報処理装置１３に送信する。これらの位置情報の送信処理は、Ａ子さんの携帯端末１１から常に、サーバ装置１２に位置情報が送信されているために可能である。
【００８１】
以上、本実施の形態によれば、携帯端末が存在する位置が予め決められた条件を満たす場合に、当該位置をサーバ装置経由で情報処理装置に知らせることにより、携帯端末を保持している人の安全を確保でき、かつプライバシーを守ることができる。
【００８２】
なお、本実施の形態において、送信条件情報は、前記携帯端末が特定の領域に存在することを示す情報であっても、携帯端末が特定の領域に存在しないことを示す情報であっても良い。その他、送信条件情報は、位置情報に基づく条件であれば良い。
【００８３】
また、本実施の形態において、携帯端末は、取得した位置情報を図示しない記録媒体に蓄積しても良い。なお、この記録媒体は携帯端末から着脱可能であっても良い。記録媒体が携帯端末から着脱可能である場合には、位置情報と地図情報をリンク付けることができる情報処理装置に当該記録媒体を挿入するだけで携帯端末の移動の軌跡が地図上で把握できる。携帯端末のユーザが、例えば、殺害された場合など、事件の捜査等に役立てることができる。かかる処理は、他の実施の形態においても同様である。
【００８４】
また、本実施の形態において、サーバ装置で登録している送信条件情報は、削除や修正が可能であることが望ましい。かかる削除や修正の指示も、登録と同様に、携帯端末からの操作により可能でることが好適である。
【００８５】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。かかることも、他の実施の形態においても同様である。なお、本実施の形態において説明したサーバ装置の動作を実現するプログラムは、コンピュータに、携帯端末から位置確認情報を受信する位置確認情報受信ステップと、位置確認情報が有する位置情報が、位置確認情報が有する携帯端末識別子と対になる送信条件情報が示す送信条件を満たすか否かを判断する送信条件判断ステップと、位置確認情報が有する携帯端末識別子と対になる情報処理装置識別子を取得する情報処理装置識別子取得ステップと、送信条件判断ステップにおける判断が送信条件を満たすとの判断の場合に、情報処理装置識別子取得ステップで取得した情報処理装置識別子で識別される情報処理装置に、位置確認情報が有する位置情報を送信する位置情報送信ステップを実行させるためのプログラムである。
【００８６】
（実施の形態２）
図１４は、本実施の形態における情報処理システムのブロック図である。情報処理システムは、携帯端末１４１、サーバ装置１４２、情報処理装置１４３を有する。
【００８７】
携帯端末１４１は、携帯端末識別子格納部１１０１、位置情報取得部１１０２、送信条件情報格納部１４１０１、送信条件判断部１４１０２、位置確認情報送信部１４１０３、時計１４１０４、端末側入力受付部１１０４、送信条件情報蓄積部１４１０５を具備する。
【００８８】
サーバ装置１４２は、装置管理情報格納部１２０１、位置確認情報受信部１２０３、情報処理装置識別子取得部１２０５、位置情報送信部１４２０１を具備する。
【００８９】
情報処理装置１４３は、位置情報受信部１３０３、位置情報出力部１３０４を具備する。
【００９０】
送信条件情報格納部１４１０１は、携帯端末１１が存在する位置を示す情報である位置情報の送信条件を示す情報である送信条件情報を格納している。送信条件情報のデータ構造は問わない。送信条件情報格納部１４１０１は、不揮発性の記録媒体が好適であるが、揮発性の記録媒体でも実現可能である。
【００９１】
送信条件判断部１４１０２は、位置情報取得部１１０２が取得した位置情報が、送信条件情報格納部１４１０１の送信条件情報が示す送信条件を満たすか否かを判断する。送信条件判断部１４１０２は、通常、ＭＰＵやメモリ等から実現され得る。送信条件判断部１４１０２の判断処理の手順は、通常、ソフトウェアで実現され、当該ソフトウェアはＲＯＭ等の記録媒体に記録されている。但し、ハードウェア（専用回路）で実現しても良い。
【００９２】
位置確認情報送信部１４１０３は、送信条件判断部１４１０２における判断結果が、送信条件情報が示す送信条件を満たすとの判断結果である場合に、位置情報取得部１１０２が取得した位置情報と携帯端末識別子格納部１１０１の携帯端末識別子を有する位置確認情報をサーバ装置１４２に送信する。位置確認情報送信部１４１０３は、例えば、位置確認情報を構成するソフトウェアと無線通信手段により実現される。但し、位置確認情報送信部１４１０３は、位置確認情報をサーバ装置１２に送信できれば、その実現手段は問わない。
【００９３】
時計１４１０４は、時刻を取得する。時計１４１０４の変わりにタイマーでも良い場合があり得る。
【００９４】
送信条件情報蓄積部１４１０５は、端末側入力受付部１１０４は、予め決められた特定の操作の入力を受け付けた場合に送信条件情報を構成し、当該送信条件情報を送信条件情報格納部１２０２に蓄積する。
【００９５】
位置情報送信部１４２０１は、位置確認情報受信部１２０３が受信した位置確認情報が有する位置情報を、当該位置確認情報が有する携帯端末識別子と対になる情報処理装置識別子で識別される情報処理装置に送信する。位置情報送信部１４２０１は、無線または有線の通信手段で実現され得るが、放送手段で実現しても良い。
【００９６】
以下、本情報処理システムの動作について説明する。まず、携帯端末１４１の動作について図１５のフローチャートを用いて説明する。
【００９７】
（ステップＳ１５０１）位置情報取得部１１０２は、位置情報を取得する。
【００９８】
（ステップＳ１５０２）端末側入力受付部１１０４は、入力を受け付けたか否かを判断する。この入力は、一のキー等の入力であるとは限らず、複数のキー等の入力である場合も含む。入力を受け付ければステップＳ１５０３に行き、入力を受け付けなければステップＳ１５０６に飛ぶ。
【００９９】
（ステップＳ１５０３）送信条件情報蓄積部１４１０５は、ステップＳ１５０２で受け付けた入力が、予め決められた特定の入力であるか否かを判断する。特定の入力であればステップＳ１５０４に行き、特定の入力でなければステップＳ１５０１に戻る。
【０１００】
（ステップＳ１５０４）送信条件情報蓄積部１４１０５は、ステップＳ１５０１で取得した位置情報に基づいて送信条件情報を構成する。
【０１０１】
（ステップＳ１５０５）送信条件情報蓄積部１４１０５は、ステップＳ１５０４で構成した送信条件情報を送信条件情報格納部１４１０１に蓄積する。
【０１０２】
（ステップＳ１５０６）送信条件判断部１４１０２は、送信条件情報格納部１４１０１から送信条件情報を取得する。
【０１０３】
（ステップＳ１５０７）送信条件判断部１４１０２は、ステップＳ１５０１で取得した位置情報が、ステップＳ１５０６で取得した送信条件情報が示す送信条件を満たすか否かを判断する。送信条件を満たせばステップＳ１５０８に行き、送信条件を満たさなければステップＳ１５１２に飛ぶ。
【０１０４】
（ステップＳ１５０８）位置確認情報送信部１４１０３は、携帯端末識別子格納部１１０１から携帯端末識別子を取得する。
【０１０５】
（ステップＳ１５０９）位置確認情報送信部１４１０３は、ステップＳ１５０８で取得した携帯端末識別子とステップＳ１５０１で取得した位置情報に基づいて位置確認情報を構成する。
【０１０６】
（ステップＳ１５１０）位置確認情報送信部１４１０３は、ステップＳ１５０９で構成した位置確認情報をサーバ装置１４２に送信する。
【０１０７】
（ステップＳ１５１１）位置確認情報送信部１４１０３は、ステップＳ１５１０で位置確認情報を送信した時刻を時計１４１０４から取得し、当該時刻を記録する。
【０１０８】
（ステップＳ１５１２）位置確認情報送信部１４１０３は、時計１４１０４から現在時刻を取得する。
【０１０９】
（ステップＳ１５１３）位置確認情報送信部１４１０３は、ステップＳ１５１２で取得した現在時刻とステップＳ１５１１で記録した時刻に基づいて、以前に位置確認情報を送信してから一定時間以上経過しているか否かを判断する。一定時間以上経過していればステップＳ１５０８に行き、一定時間以上経過していなければステップＳ１５０１に戻る。
【０１１０】
なお、図１５のフローチャートにおいて、電源オフや処理終了の指示などの割り込みにより、処理は終了する。
【０１１１】
次に、サーバ装置１４２の動作について図１６のフローチャートを用いて説明する。
【０１１２】
（ステップＳ１６０１）位置確認情報受信部１２０３が位置確認情報を受信したか否かを判断する。位置確認情報を受信すればステップＳ１６０２に行き、位置確認情報を受信しなければステップＳ１６０１に戻る。
【０１１３】
（ステップＳ１６０２）位置情報送信部１４２０１は、ステップＳ１６０１で受信した位置確認情報が有する携帯端末識別子を取得する。
【０１１４】
（ステップＳ１６０３）情報処理装置識別子取得部１２０５は、ステップＳ１６０２で取得した携帯端末識別子と対になる１以上の情報処理装置識別子を装置管理情報格納部１２０１から取得する。
【０１１５】
（ステップＳ１６０４）位置情報送信部１４２０１は、ステップＳ１６０１で受信した位置確認情報が有する位置情報を取得する。
【０１１６】
（ステップＳ１６０５）位置情報送信部１４２０１は、ステップＳ１６０３で取得した１以上の情報処理装置識別子で識別される１以上の情報処理装置に対して、ステップＳ１６０４で取得した位置情報を送信する。
【０１１７】
なお、図１６のフローチャートにおいて、電源オフや処理終了の指示などの割り込みにより、処理は終了する。
【０１１８】
以下、本実施の形態における情報処理システムの具体的な動作について説明する。今、携帯端末１４１は、図１７の送信条件管理表を保持している。図１７の送信条件管理表は、「ＩＤ」と「送信条件情報」を有するレコードを１以上格納している。「送信条件情報」は、位置情報（ｘ，ｙ）である。ここでは、携帯端末１４１は、「送信条件情報」が示す位置から一定距離以内に携帯端末１４１が存在しない場合に、位置情報をサーバ装置１４２に送信する、とする。かかる場合、図１８における地図上の網掛けの領域に携帯端末１４１が入っていない場合に、携帯端末１４１は位置情報をサーバ装置１４２に送信する。つまり、携帯端末１４１の所有者（Ｂ）が通常、居る場所は図１８の網掛けで示した３領域である。かかる３領域から携帯端末１４１が出た場合に、携帯端末１４１は取得した位置情報をサーバ装置１４２に送信する。携帯端末１４１の所有者（Ｂ）が、３領域から出る、ということは身に危険が発生した、と考えられるからである。そして、サーバ装置１４２は、位置情報を受信し、情報処理装置１４３に当該位置情報を送信する。情報処理装置１４３は、位置情報を受信し、出力する。なお、位置情報の取得は、例えば、ＧＰＳ受信機による、とする。
【０１１９】
サーバ装置１４２から情報処理装置１４３へ位置情報を送信する方法は、以下のような処理で行う。サーバ装置１４２は、例えば、図１９のような装置管理表を保持している。装置管理表は、「ＩＤ」「携帯端末識別子」「情報処理装置識別子」を有する１以上のレコード（装置管理情報）を保持している。「ＩＤ」はレコードを識別する情報である。「携帯端末識別子」は、１以上の携帯端末の電話番号である。「情報処理装置識別子」は、１以上の情報処理装置の電話番号である。サーバ装置１４２は、ある携帯端末の電話番号で識別される携帯端末から位置情報を受信した場合に、当該携帯端末の電話番号と対になる１以上の情報処理装置識別子を取得し、当該１以上の情報処理装置識別子で識別される１以上の情報処理装置に位置情報を送信する。今、電話番号「０５０−８８８８−７７７７」で識別される携帯端末から位置情報「（１４０，２３８）」が送信されてきた、とする。
【０１２０】
かかる場合、サーバ装置１４２は、電話番号「０５０−８８８８−７７７７」と対になる情報処理装置の電話番号「０５０−３３４４−５５５５」「０５０−３３４４−４４４４」を取得する。次に、サーバ装置１４２は、電話番号「０５０−３３４４−５５５５」「０５０−３３４４−４４４４」で識別される２つの情報処理装置に位置情報「（１４０，２３８）」を送信する。なお、電話番号「０５０−３３４４−５５５５」で識別される情報処理装置は携帯電話であり、電話番号「０５０−３３４４−４４４４」で識別される情報処理装置は家庭に設置されている大画面ディスプレイ付きの装置である、とする。
【０１２１】
かかる場合、例えば、電話番号「０５０−３３４４−５５５５」で識別される携帯電話では、図２０のような位置情報の表示態様になる。なお、警告の文章「注意！  通常のルートからはずれました。」は、予め、電話番号「０５０−３３４４−５５５５」で識別される携帯電話が保持していても良いし、サーバ装置１４２から携帯電話に送信されてきても良い。
【０１２２】
また、例えば、電話番号「０５０−３３４４−４４４４」で識別される大画面ディスプレイ付きの装置では、図２１のような位置情報の表示態様になる。なお、図２１の地図情報は、予め、電話番号「０５０−３３４４−４４４４」で識別される大画面ディスプレイ付きの装置が保持していても良いし、サーバ装置１４２から大画面ディスプレイ付きの装置に送信されてきても良い。
【０１２３】
次に、送信条件情報の登録の処理について説明する。携帯端末１４１は、例えば、図２２に示すような形状を有する。そして、携帯端末１４１の所有者（Ｂ）は、メニュー画面の操作により「位置登録」のメニュー項目を選択する、とする。この「位置登録」のメニュー項目を選択は、例えば、メニューのフォーカスを「位置登録」に移動し、決定ボタンを押下することにより行う。「位置登録」のメニュー項目が選択されると、携帯端末１４１は、位置情報を取得し、当該位置情報を図１７の送信条件情報管理表に蓄積する。ここで取得した位置情報が（１２２，２５０）であるとすると、図１７の送信条件情報管理表は図２３のように変更される。
【０１２４】
以上、本実施の形態によれば、携帯端末が存在する位置が予め決められた条件を満たす場合に、当該位置をサーバ装置経由で情報処理装置に知らせることにより、携帯端末を保持している人の安全を確保でき、かつプライバシーを守ることができる。
【０１２５】
なお、本実施の形態によれば、登録された領域からはずれた場合に、位置情報を携帯端末からサーバ装置に送信したが、登録された領域に居る場合に、位置情報を携帯端末からサーバ装置に送信しても良い。
【０１２６】
また、本実施の形態において、一定時間以上、携帯端末から位置情報をサーバ装置に送信しなかった場合に、携帯端末から位置情報をサーバ装置に送信しても良い。かかる処理により、少なくとも一定時間内に１度は情報処理装置に携帯端末の位置情報が出力されることとなり、情報処理装置のユーザは、携帯端末の電源が切られていたり、携帯端末が故障でないことを知ったりでき、当該ユーザは安心する。
【０１２７】
また、本実施の形態において、携帯端末は、サーバ装置に送信しないと判断した位置情報のみを図示しない記録媒体に蓄積しても良い。なお、この記録媒体は携帯端末から着脱可能であっても良い。
【０１２８】
また、本実施の形態において、情報処理装置からの要請、またはサーバ装置からの要請により、サーバ装置を経由して、携帯端末から位置情報を強制的に取得でき、強制的に情報処理装置に携帯端末の位置情報を出力しても良い。
【０１２９】
また、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。なお、本実施の形態において説明した携帯端末の動作を実現するプログラムは、コンピュータに、携帯端末の位置情報を取得する位置情報取得ステップと、位置情報取得ステップで取得した位置情報が、格納されている送信条件情報が示す送信条件を満たすか否かを判断する送信条件判断ステップと、送信条件判断ステップにおける判断が送信条件を満たすとの判断の場合に、位置情報取得ステップで取得した位置情報と携帯端末識別子を有する位置確認情報をサーバ装置に送信する位置確認情報送信ステップを実行させるためのプログラム。
【０１３０】
また、本実施の形態と実施の形態１の主とした違いは、位置情報を送信するか否かの判断を携帯端末で行うか、サーバ装置で行うかの違いであった。しかし、情報処理装置側で出力する位置情報を制御しても良い。つまり、情報処理装置は、出力する位置情報に関する条件（出力条件）を保持しており、当該出力情報に応じて、受信した位置情報を出力しても良い。以上より、本情報処理システムは、携帯端末とサーバ装置と情報処理装置を具備する情報処理システムであって、携帯端末が特定の位置に存在する場合または特定の位置からはずれた場合に、サーバ装置経由で情報処理装置に送信された位置情報であり、携帯端末の位置を示す位置情報が、情報処理装置に出力される情報処理システムであれば良い。かかる情報処理システムにより、プライバシーを保護しつつ、携帯端末のユーザの身の安全を確保できる。
【０１３１】
さらに、実施の形態１と実施の形態２において位置情報はサーバ装置を経由して情報処理装置に送信されたが、携帯端末から位置情報を直接、情報処理装置に送信しても良い。かかる場合、情報処理システムは、携帯端末と情報処理装置を具備する情報処理システムであって、携帯端末が特定の領域に存在する場合または特定の領域に存在しない場合に、携帯端末の位置を示す位置情報が、情報処理装置に送信され、出力される情報処理システムである。
【０１３２】
（実施の形態３）
図２４は、本実施の形態における情報処理システムのブロック図である。情報処理システムは、携帯端末２４１、サーバ装置２４２、情報処理装置２４３を有する。本情報処理システムは、実施の形態１における情報処理システムと以下の点で異なる。まず、サーバ装置は、駅を識別する情報である駅識別子と位置情報を対応付けて管理しており、サーバ装置は、情報処理装置に送信する位置情報に対応する駅識別子を送信する。そして、情報処理装置は駅識別子を出力する。また、サーバ装置は、地図情報と位置情報を対応付けて管理しており、サーバ装置は、送信する位置情報に対応する地図情報をも送信し、情報処理装置は地図情報を表示し、当該地図情報の上に位置情報を出力する。
【０１３３】
携帯端末２４１は、携帯端末識別子格納部１１０１、位置情報取得部１１０２、位置確認情報送信部１１０３を具備する。サーバ装置２４２は、装置管理情報格納部１２０１、送信条件情報格納部１２０２、位置確認情報受信部１２０３、送信条件判断部１２０４、情報処理装置識別子取得部１２０５、駅情報格納部２４２０１、地図情報格納部２４２０２、駅識別子取得部２４２０３、地図情報取得部２４２０４、位置情報送信部２４２０５を具備する。情報処理装置２４３は、位置情報受信部２４３０１、位置情報出力部２４３０２を具備する。
【０１３４】
駅情報格納部２４２０１は、駅を識別する情報である駅識別子と位置情報を有する駅情報を１以上格納している。駅情報格納部２４２０１は、不揮発性の記録媒体が好適であるが、揮発性の記録媒体でも実現可能である。
【０１３５】
地図情報格納部２４２０２は、地図情報を格納している。この地図情報は、位置情報により検索され得る。地図情報のデータ構造やフォーマットは問わない。地図情報は、通常、ナビゲーションシステムにおける地図情報と同一のデータ構造である。地図情報格納部２４２０２は、不揮発性の記録媒体が好適であるが、揮発性の記録媒体でも実現可能である。
【０１３６】
駅識別子取得部２４２０３は、情報処理装置２４３に送信する位置情報（ｘ，ｙ）に対応する駅識別子を駅情報格納部２４２０１から取得する。駅識別子取得部２４２０３は、通常、ＭＰＵやメモリ等から実現され得る。駅識別子取得部２４２０３が情報を取得する処理の手順は、通常、ソフトウェアで実現され、当該ソフトウェアはＲＯＭ等の記録媒体に記録されている。但し、ハードウェア（専用回路）で実現しても良い。
【０１３７】
地図情報取得部２４２０４は、情報処理装置２４３に送信する位置情報（ｘ，ｙ）に対応する地図情報を地図情報格納部２４２０２から取得する。地図情報取得部２４２０４は、通常、ＭＰＵやメモリ等から実現され得る。地図情報取得部２４２０４が情報を取得する処理の手順は、通常、ソフトウェアで実現され、当該ソフトウェアはＲＯＭ等の記録媒体に記録されている。但し、ハードウェア（専用回路）で実現しても良い。
【０１３８】
位置情報送信部２４２０５は、送信条件判断部１２０４が送信すると判断した位置情報（ｘ，ｙ）と、当該位置情報に対応する駅識別子（最寄駅の駅の名称）と当該位置情報に対応する地図情報を情報処理装置２４３に送信する。なお、位置情報が示す位置が駅から一定距離以上離れている場合は、駅情報は送信されない。つまり、例えば、駅情報の領域はＮＵＬＬである。位置情報送信部２４２０５は、無線または有線の通信手段で実現され得るが、放送手段で実現しても良い。
【０１３９】
位置情報受信部２４３０１は、位置情報と駅識別子と地図情報を受信する。位置情報受信部２４３０１は、通常、無線または有線の通信手段で実現され得るが、放送を受信する手段で実現しても良い。
【０１４０】
位置情報出力部２４３０２は、位置情報受信部２４３０１が受信した位置情報と駅識別子と地図情報を出力する。この出力とは、通常は、ディスプレイへの表示を言うが、プリンタへの印字、他の装置への送信、記録媒体への蓄積なども含む概念である。位置情報出力部２４３０２における位置情報の出力態様は問わない。位置情報出力部２４３０２は、出力デバイスのドライバーソフト等で実現され得る。
【０１４１】
以下、本情報処理システムの動作について説明する。携帯端末２４１は、電源オンの間、常時、位置情報を取得し、当該位置情報と携帯端末識別子を有する位置確認情報をサーバ装置２４２に送信する。
【０１４２】
次に、サーバ装置２４２の動作について図２５のフローチャートを用いて説明する。
【０１４３】
（ステップＳ２５０１）位置確認情報受信部１２０３は、位置確認情報を受信したか否かを判断する。位置確認情報を受信すればステップＳ２５０２に行き、位置確認情報を受信しなければステップＳ２５０１に戻る。
【０１４４】
（ステップＳ２５０２）送信条件判断部１２０４は、ステップＳ２５０１で受信した位置確認情報が有する位置情報が、送信条件情報格納部１２０２に格納されている送信条件に合致するか否かを判断する。送信条件に合致すればステップＳ２５０３に行き、送信条件に合致しなければステップＳ２５０１に戻る。
【０１４５】
（ステップＳ２５０３）情報処理装置識別子取得部１２０５は、ステップＳ４０１で受信した位置確認情報が有する携帯端末識別子を取得する。
【０１４６】
（ステップＳ２５０４）位置情報送信部２４２０５は、ステップＳ４０１で受信した位置確認情報が有する位置情報を取得する。
【０１４７】
（ステップＳ２５０５）情報処理装置識別子取得部１２０５は、ステップＳ４０３で取得した携帯端末識別子と対になる情報処理装置識別子を装置管理情報格納部１２０１から取得する。
【０１４８】
（ステップＳ２５０６）駅識別子取得部２４２０３は、ステップＳ２５０４で取得した位置情報に対応する駅識別子を取得する。なお、位置情報が示す位置が駅から離れている場合は、駅識別子は取得できない。
【０１４９】
（ステップＳ２５０７）地図情報取得部２４２０４は、ステップＳ２５０４で取得した位置情報に対応する地図情報を取得する。
【０１５０】
（ステップＳ２５０８）位置情報送信部２４２０５は、ステップＳ２５０４で取得した位置情報、ステップＳ２５０６で取得した駅識別子、ステップＳ２５０７で取得した地図情報から送信する情報を構成する。
【０１５１】
（ステップＳ２５０９）位置情報送信部２４２０５は、ステップＳ２５０８で構成した情報を、ステップＳ２５０５で取得した情報処理装置識別子で識別される情報処理装置に送信する。ステップＳ２５０１に戻る。
【０１５２】
なお、図２５のフローチャートにおいて、電源オフや処理終了の指示などの割り込みにより、処理は終了する。
【０１５３】
次に、情報処理装置２４３の動作について説明する。情報処理装置２４３は、サーバ装置２４２から位置情報、駅識別子、地図情報を受信し、出力する。位置情報、駅識別子、地図情報の出力態様は、以下で具体的に述べる。なお、サーバ装置２４２から位置情報、駅識別子、地図情報をすべて出力する必要はない。
【０１５４】
サーバ装置２４２は、図２６に示す駅情報管理表を保持している、とする。駅情報管理表は、「ＩＤ」「位置情報」「駅識別子」を有するレコードを１以上格納している。「ＩＤ」は、レコードを識別する情報である。サーバ装置２４２は、例えば、「位置情報」が示す地点を中心として、その周辺２００ｍを「駅識別子」が示す駅であると判断する、とする。また、サーバ装置２４２は、「位置情報（ｘ，ｙ）」に対応する地図情報を保持している。
【０１５５】
かかる状態において、「０５０−２２２２−３３３３」の電話番号で識別される携帯端末２４１から位置情報（１３４，２２７．５）と「０５０−２２２２−３３３３」を有する位置確認情報がサーバ装置２４２に送信された、とする。なお、携帯端末２４１は、サーバ装置２４２に情報を送信するための情報であるサーバ装置２４２のＩＰアドレス等を保持している、とする。
【０１５６】
次に、サーバ装置２４２は、位置情報（１３４，２２７．５）と携帯端末識別子「０５０−２２２２−３３３３」を有する位置確認情報を受信する。そして、サーバ装置２４２は、実施の形態１で述べたアルゴリズムにより、携帯端末２４１「０５０−２２２２−３３３３」の位置情報（１３４，２２７．５）等を送信すると判断した、とする。つまり、携帯端末２４１「０５０−２２２２−３３３３」の位置情報（１３４，２２７．５）が、サーバ装置２４２が保持している送信条件情報が示す送信条件に合致した、とする。
【０１５７】
かかる場合、サーバ装置２４２は、位置情報（１３４，２２７．５）より、図２６の駅情報管理表から駅識別子「Ｙ駅」を取得する。なお、位置情報（１３４，２２７．５）は、Ｙ駅の位置情報（１３４，２２８）から半径２００ｍ以内の地点である、とする。また、サーバ装置２４２は、位置情報（１３４，２２７．５）が示す地図情報を検索する。
【０１５８】
そして、サーバ装置２４２は、図２７に示す情報を構成する。図２７に示す情報は、サーバ装置２４２が情報処理装置２４３に送信する情報である。図２７に示す情報は、位置情報、駅識別子、リンク情報、地図情報を有する。リンク情報は地図情報と位置情報等を関連付ける情報である。
【０１５９】
情報処理装置２４３は、図２７の情報を受信し、図２８または図２９に示す態様で出力する。図２８において、情報処理装置２４３の外観は携帯電話であり、駅情報と携帯端末識別子等を出力している。なお、携帯端末識別子は、情報処理装置２４３（携帯電話）が予め保持している。また、図２９において、情報処理装置２４３の外観はデジタルテレビであり、地図情報、駅識別子、携帯端末識別子等を出力している。また、図２９において、地図上で位置情報（１３４，２２７．５）の地点を星印により出力している。なお、携帯端末識別子は、情報処理装置２４３（デジタルテレビ）が予め保持している。
【０１６０】
以上、本実施の形態によれば、携帯端末が存在する位置が予め決められた条件を満たす場合に、当該位置をサーバ装置経由で情報処理装置に、わかりやすい出力形態で知らせることができる。かかることにより、情報処理装置のユーザにとって、携帯端末を保持している人の安全を簡単に確認でき、かつ携帯端末を保持している人のプライバシーを守ることができる。
【０１６１】
なお、本実施の形態によれば、上記の実施の形態で述べた以下の処理が可能であっても良い。つまり、携帯端末の特定の操作により送信条件情報が蓄積されても良い。また、情報処理装置からの要求により、送信条件の不合致に関わらず、情報処理装置が携帯端末の位置情報等を取得して、出力できても良い。
【０１６２】
（実施の形態４）
図３０は、本実施の形態における情報処理システムのブロック図である。情報処理システムは、携帯端末３０１、サーバ装置１４２、情報処理装置１４３を有する。携帯端末３０１は、携帯端末識別子格納部１１０１、位置情報取得部１１０２、加速度計測部３０１０１、送信条件情報格納部３０１０２、送信条件判断部３０１０３、位置確認情報送信部３０１０４を具備する。
【０１６３】
加速度計測部３０１０１は、携帯端末３０１が動く加速度を計測する。加速度計測部３０１０１は、例えば、加速度センサで実現され得る。
【０１６４】
送信条件情報格納部３０１０２は、携帯端末３０１が動く加速度をパラメータとする条件を格納している。送信条件情報格納部３０１０２は、不揮発性の記録媒体が好適であるが、揮発性の記録媒体でも実現可能である。
【０１６５】
送信条件判断部３０１０３は、加速度計測部３０１０１で計測した加速度が、送信条件情報格納部３０１０２の条件に合致するか否かを判断する。送信条件判断部３０１０３は、通常、ＭＰＵやメモリ等から実現され得る。送信条件判断部３０１０３の判断処理の手順は、通常、ソフトウェアで実現され、当該ソフトウェアはＲＯＭ等の記録媒体に記録されている。但し、ハードウェア（専用回路）で実現しても良い。
【０１６６】
位置確認情報送信部３０１０４は、送信条件判断部３０１０３における判断が、条件に合致するとの判断の場合に、位置確認情報を構成し、サーバ装置１４２に当該位置確認情報を送信する。なお、位置確認情報は、携帯端末識別子格納部１１０１の携帯端末識別子と位置情報取得部が取得した位置情報を有する。なお、位置確認情報は、加速度計測部３０１０１が計測した加速度を有しても良い。位置確認情報送信部３０１０４は、例えば、位置確認情報を構成するソフトウェアと無線通信手段により実現される。但し、位置確認情報送信部３０１０４は、位置確認情報をサーバ装置１４２に送信できれば、その実現手段は問わない。
【０１６７】
以下、本情報処理システムの動作について説明する。まず、携帯端末３０１の動作について図３１のフローチャートを用いて説明する。
【０１６８】
（ステップＳ３１０１）加速度計測部３０１０１は、携帯端末３０１が動く加速度を計測できたか否かを判断する。加速度を計測できればステップＳ３１０２に行き、加速度を計測できなければステップＳ３１０１に戻る。
【０１６９】
（ステップＳ３１０２）送信条件判断部３０１０３は、送信条件情報格納部３０１０２から送信条件情報を取得する。
【０１７０】
（ステップＳ３１０３）送信条件判断部３０１０３は、ステップＳ３１０１で取得した加速度が、ステップＳ３１０２で取得した送信条件情報が示す送信条件を満たすか否かを判断する。送信条件を満たせばステップＳ３１０４に行き、送信条件を満たさなければステップＳ３１０１に戻る。
【０１７１】
（ステップＳ３１０４）位置情報取得部１１０２は、携帯端末３０１の存在する位置を示す情報である位置情報を取得する。
【０１７２】
（ステップＳ３１０５）位置確認情報送信部３０１０４は、携帯端末識別子格納部１１０１から携帯端末識別子を取得する。
【０１７３】
（ステップＳ３１０６）位置確認情報送信部３０１０４は、ステップＳ３１０５で取得した携帯端末識別子とステップＳ３１０４で取得した位置情報に基づいて位置確認情報を構成する。
【０１７４】
（ステップＳ３１０７）位置確認情報送信部３０１０４は、ステップＳ３１０６で構成した位置確認情報を送信する。ステップＳ３１０１に戻る。
【０１７５】
なお、サーバ装置１４２と情報処理装置１４３の動作については、すでに説明済みであるので、再度の説明は省略する。
【０１７６】
以下、本実施の形態における情報処理システムの具体的な動作について説明する。今、携帯端末３０１は、「加速度＞１３」という送信条件情報を保持している。また、携帯端末３０１は、ＧＰＳ受信機により位置情報を取得する。例えば、携帯端末３０１は、女子学生（Ｃ子さん）が保持している。また、情報処理装置１４３はＣ子さんの自宅に設置されている装置である。そして、Ｃ子さんは外出時に携帯端末３０１を持って出る、とする。
【０１７７】
そして、Ｃ子さんが外出時に何者かに突き飛ばされた、とする。そして、Ｃ子さんは誘拐されたとする。かかるＣ子さんが突き飛ばされたときに、携帯端末３０１は加速度「１８」を記録したとする。そして、携帯端末３０１は、その時の位置情報を取得し、サーバ装置に送信する。サーバ装置は、当該位置情報を取得し、情報処理装置に送信する。そして、情報処理装置は位置情報を受信し、出力する。位置情報の出力態様は、上記の実施の形態で述べたので、ここでの説明は省略する。また、位置情報がサーバ装置経由で情報処理装置に送信される処理についても上記の実施の形態で述べたので、ここでの説明は省略する。
【０１７８】
以上、本実施の形態によれば、携帯端末が一定の条件に合致する加速度を取得した場合に、携帯端末のユーザの身の安全が害されたとして、その位置情報を送信し、情報処理装置で出力することにより、ユーザの身の安全の確保や、事件後の捜査に役立つ情報が得られる。
【０１７９】
なお、本実施の形態によれば、携帯端末が一定の条件に合致する加速度を取得した場合に、その位置情報を送信したが、携帯端末が一定の条件に合致する加速度を取得した以降の携帯端末の位置情報を、サーバ装置経由で情報処理装置に送信し、情報処理装置が位置情報を出力しても良い。
【０１８０】
また、本実施の形態において、携帯端末は、位置情報と加速度を図示しない記録媒体に蓄積しても良い。かかる記録媒体は、携帯端末から着脱可能な記録媒体でも良い。かかる処理により、何らかの事件が発生した後の、当該事件の捜査に記録した情報が役に立つ場合がある。なお、かかる処理を行う携帯端末は、位置情報を取得する位置情報取得部と、加速度を計測する加速度計測部と、位置情報と加速度を蓄積する情報蓄積部を具備する携帯端末である。
【０１８１】
さらに、本実施の形態において、情報処理装置からの指示により、強制的に携帯端末の位置情報を情報処理装置が取得して出力しても良い。
【発明の効果】
以上のように、本発明によれば、携帯端末のユーザのプライバシーを保護しつつ、安全も担保できる。
【図面の簡単な説明】
【図１】実施の形態１における情報処理システムの概念図
【図２】実施の形態１における情報処理システムのブロック図
【図３】実施の形態１における携帯端末の動作について説明するフローチャート
【図４】実施の形態１におけるサーバ装置の動作について説明するフローチャート
【図５】実施の形態１における情報処理装置の動作について説明するフローチャート
【図６】実施の形態１における情報処理システムの利用態様を示す図
【図７】実施の形態１における装置管理表を示す図
【図８】実施の形態１における送信条件管理表を示す図
【図９】実施の形態１における情報処理装置における位置情報の出力例を示す図
【図１０】実施の形態１における携帯端末の外観を示す図
【図１１】実施の形態１における携帯端末が存在する環境を示す図
【図１２】実施の形態１における送信条件情報を示す図
【図１３】実施の形態１における送信条件管理表を示す図
【図１４】実施の形態２における情報処理システムのブロック図
【図１５】実施の形態２における携帯端末の動作について説明するフローチャート
【図１６】実施の形態２におけるサーバ装置の動作について説明するフローチャート
【図１７】実施の形態２における送信条件管理表を示す図
【図１８】実施の形態２における図１８における地図を示す図
【図１９】実施の形態２における装置管理表を示す図
【図２０】実施の形態２における位置情報の表示態様を示す図
【図２１】実施の形態２における位置情報の表示態様を示す図
【図２２】実施の形態２における携帯端末の形状を示す図
【図２３】実施の形態２における送信条件情報管理表を示す図
【図２４】実施の形態３における情報処理システムのブロック図
【図２５】実施の形態３におけるサーバ装置の動作について説明するフローチャート
【図２６】実施の形態３における駅情報管理表を示す図
【図２７】実施の形態３におけるサーバ装置が構成する送信情報を示す図
【図２８】実施の形態３における情報処理装置の出力態様を示す図
【図２９】実施の形態３における情報処理装置の出力態様を示す図
【図３０】実施の形態４における情報処理システムのブロック図
【図３１】実施の形態４における携帯端末の動作について説明するフローチャート
【符号の説明】
１１、１４１、２４１、３０１  携帯端末
１２、１４２、２４２  サーバ装置
１３、１４３、２４３  情報処理装置
１４  無線局
１１０１  携帯端末識別子格納部
１１０２  位置情報取得部
１１０３、１４１０３、３０１０４  位置確認情報送信部
１１０４  端末側入力受付部
１１０５  送信条件構成情報送信部
１２０１  装置管理情報格納部
１２０２、１４１０１、３０１０２  送信条件情報格納部
１２０３  位置確認情報受信部
１２０４、１４１０２、３０１０３  送信条件判断部
１２０５  情報処理装置識別子取得部
１２０６  取得指示情報受信部
１２０７、１４１０４  時計
１２０８、１４２０１、２４２０５  位置情報送信部
１２０９  送信条件構成情報受信部
１２１０、１４１０５  送信条件情報蓄積部
１３０１  装置側入力受付部
１３０２  取得指示情報送信部
１３０３、２４３０１  位置情報受信部
１３０４、２４３０２  位置情報出力部
２４２０１  駅情報格納部
２４２０２  地図情報格納部
２４２０３  駅識別子取得部
２４２０４  地図情報取得部
３０１０１  加速度計測部
【図１】
2004201218.tif 000003
【図２】
2004201218.tif 000004
【図３】
2004201218.tif 000005
【図４】
2004201218.tif 000006
【図５】
2004201218.tif 000007
【図６】
2004201218.tif 000008
【図７】
2004201218.tif 000009
【図８】
2004201218.tif 000010
【図９】
2004201218.tif 000011
【図１０】
2004201218.tif 000012
【図１１】
2004201218.tif 000013
【図１２】
2004201218.tif 000014
【図１３】
2004201218.tif 000015
【図１４】
2004201218.tif 000016
【図１５】
2004201218.tif 000017
【図１６】
2004201218.tif 000018
【図１７】
2004201218.tif 000019
【図１８】
2004201218.tif 000020
【図１９】
2004201218.tif 000021
【図２０】
2004201218.tif 000022
【図２１】
2004201218.tif 000023
【図２２】
2004201218.tif 000024
【図２３】
2004201218.tif 000025
【図２４】
2004201218.tif 000026
【図２５】
2004201218.tif 000027
【図２６】
2004201218.tif 000028
【図２７】
2004201218.tif 000029
【図２８】
2004201218.tif 000030
【図２９】
2004201218.tif 000031
【図３０】
2004201218.tif 000032
【図３１】
2004201218.tif 000033